(57)【要約】      （修正有）【課題】メンテナンスが容易で安価な高濃度炭酸ガス水製造装置を提供する。【解決手段】密閉した高濃度炭酸ガス水タンク１内に炭酸ガスボンベ２から炭酸ガスを供給し、密閉した高濃度炭酸ガス水タンク１の炭酸ガススペースに開いた、炭酸ガス吸入管４によりポンプ３の吸入側に炭酸ガスを吸入し、ポンプ３に吸入された水と接触させることにより、高濃度炭酸ガス水を製造する装置であり、高濃度炭酸ガス水タンク１内において高濃度炭酸ガス水から自然分離した炭酸ガスを再度炭酸ガス吸入管４で吸入することにより炭酸ガスの消費量を極小に押さえることのできる構造になっている。またポンプ出口管５端にはより高濃度の炭酸ガス水を製造する目的でキャピラリーチューブ式排出ノズル６を設けている。【選択図】図１
2005144429.tif 000002
【特許請求の範囲】
【請求項１】
密閉された高濃度炭酸ガス水タンク上部の空気スペースに炭酸ガスボンベから炭酸ガスを供給し、その高濃度炭酸ガス水タンク上部の空気スペースより炭酸ガスボンベから供給された炭酸ガスをポンプで吸引し、同じくポンプで吸引した水に炭酸ガスをポンプ及び配管内で溶解させ、ポンプ出口から出た高濃度炭酸ガス水を高濃度炭酸ガス水タンクに排出させる構造を持つ高濃度炭酸ガス水製造装置において、高濃度炭酸ガス水タンクに排出された高濃度炭酸ガス水と、その高濃度炭酸ガス水から分離した炭酸ガスと、炭酸ガスボンベから新たに空気スペースに供給された炭酸ガスの混合物をポンプで吸引することにより炭酸ガスの消費量を少なくし、かつより高濃度の炭酸ガス水を製造する構造を持つ高濃度炭酸ガス水製造装置。
【請求項２】
密閉された高濃度炭酸ガス水タンク上部の空気スペースに炭酸ガスボンベから炭酸ガスを供給し、その高濃度炭酸ガス水タンク上部の炭酸ガススペースより炭酸ガスボンベから供給された炭酸ガスをポンプで吸引し、同じくポンプで吸引した水に炭酸ガスをポンプ及び配管内で溶解させ、ポンプ出口から出た高濃度炭酸ガス水を高濃度炭酸ガス水タンクに排出させる構造を持つ高濃度炭酸ガス水製造装置において、高濃度炭酸ガス水タンク上方の炭酸ガススペースの壁面に適当な大きさの開口部を設け、そこに取り付けたフラップの動きにより、高濃度炭酸ガスタンク上部の空気スペースに対する、炭酸ガスボンベからの炭酸ガスの供給量が適切であるかどうかを確認すると共に密閉された高濃度炭酸ガス水タンク内の圧力上昇によるタンクの破壊を防ぐ為のフラップ式インジケーターを設けた高濃度炭酸ガス水製造装置。
【請求項３】
密閉された高濃度炭酸ガス水タンク上部の炭酸ガススペースに炭酸ガスボンベから炭酸ガスを供給し、その高濃度炭酸ガス水タンク上部の炭酸ガススペースより炭酸ガスボンベから供給された炭酸ガスをポンプで吸引し、同じくポンプで吸引した水に炭酸ガスをポンプ及び配管内で溶解させ、ポンプ出口から出た高濃度炭酸ガス水を高濃度炭酸ガス水タンクに排出させる構造を持つ高濃度炭酸ガス水製造装置において、より高濃度の炭酸ガス水を製造する目的で、高濃度炭酸ガス水製造装置のポンプ出口管端にキャピラリーチューブを使用した構造を持つノズルを設け水路を絞りポンプ出口側配管内の圧力を上げると同時にキャピラリーチューブ内での圧力の暫減により、より高濃度の炭酸ガス水を作るキャピラリーチューブ式排出ノズルを装備した高濃度炭酸ガス水製造装置。
【発明の詳細な説明】
【発明の詳細な説明】
本発明は高性能で安価な高濃度炭酸ガス水製造装置を提供するものである。
本発明は密閉された高濃度炭酸ガス水タンク（１）に炭酸ガスボンベ（２）より発生する炭酸ガスを供給し、循環ポンプ（３）の吸入側に接続した炭酸ガス吸入管（４）から炭酸ガスを吸入し、循環ポンプ（３）及びポンプ出口管（５）内で水に吸収させ高濃度炭酸ガス水タンク（１）に排出し高濃度炭酸ガスを製造する装置である。
ポンプ出口管（５）端には更に高濃度の炭酸ガス水を作るためにキャピラリーチューブ式排出ノズル（６）が取り付けられている。このシステムを使用すると、高濃度炭酸ガス水タンク（１）内で高濃度水から分離した炭酸ガスも再度炭酸ガス吸入管（４）に吸入されて循環ポンプ（３）中で水と接して水に溶解するので、炭酸ガスが外部に漏れることは最小限に押さえられ炭酸ガスを無駄にしない。
フラップ式インジケーター（７）は炭酸ガスボンベ（２）から高濃度炭酸ガス水タンク（１）に供給する炭酸ガス量の多少を判断する為のインジケーターでありフラップ式インジケーター（７）のフラップ（８）が外側に傾いている場合には炭酸ガスボンベ（２）から供給されるの炭酸ガスの量が過多となり、高濃度炭酸ガス水タンク（１）の外部に炭酸ガスを排出していることを示すため、炭酸ガスタンク流量調整弁（９）で炭酸ガスの流量を適量に調整する目安となる。
【技術分野】
【０００１】  本発明は人工的に高濃度炭酸ガス水を製造する装置に関するものである。
【背景技術】
【０００２】  高濃度炭酸ガス水浴が人の毛細血管の血流量を著しく増加させ、健康増進と美容に効果のあることは特にヨーロッパにおいては旧知の事実であり、その効果に関する研究結果も多く発表されている。
しかしながら日本においては、その地勢的条件から天然の炭酸ガス泉は少なく一般的に利用されることは無かった。
既存の装置としては、中空糸膜を用いた高濃度炭酸ガス水製造装置は存在するが、それは大変高価なものとなっているとともに逆洗を行う必要がある等、メインテナンスに多大な時間と費用を要している。
【発明が解決しようとする課題】
【０００３】  本発明はメインテナンスに多大な時間と費用を必要とする中空糸膜を用いるよりもより高濃度な炭酸ガスを安全に安価で製造するために発明されたものである。
【課題を解決するための手段】
【０００４】  循環ポンプから高濃度炭酸ガス水タンクに排出された高濃度炭酸ガス水と、その高濃度炭酸ガス水から分離した炭酸ガスと、炭酸ガスボンベから新たに空気スペースに供給された炭酸ガスの混合物をポンプで吸引することにより炭酸ガスの消費量を少なくし、かつ、より高濃度の炭酸ガスを製造する構造を持ち、高濃度炭酸ガス水タンク上方の炭酸ガススペースの壁面に適当な大きさの開口部を設け、そこに取り付けたフラップの動きにより、高濃度炭酸ガスタンク上部の炭酸ガススペースに対する、炭酸ガスボンベからの炭酸ガスの供給量が適切であるかどうかを確認すると共に密閉された高濃度炭酸ガス水タンク内の圧力上昇によるタンクの破壊を防ぐ為のフラップ式インジケーターを設ける。
また、より高濃度の炭酸ガス水を製造する目的で、高濃度炭酸ガス水製造装置のポンプ出口管端にキャピラリーチューブを使用した構造を持つノズルを設け水路を絞りポンプ出口側配管内の圧力を上げると同時にキャピラリーチューブ内での圧力の暫減により、より高濃度の炭酸ガス水を作るキャピラリーチューブ式排出ノズルを装備する。
【発明を実施するための最良の形態】  循環ポンプから高濃度炭酸ガス水タンクに排出された高濃度炭酸ガス水と、その高濃度炭酸ガス水から分離した炭酸ガスと、炭酸ガスボンベから新たに炭酸ガススペースに供給された炭酸ガスの混合物をポンプで吸引することにより炭酸ガスの消費量が少なくなる。
また、高濃度炭酸ガス水タンク上方の炭酸ガススペースの壁面に適当な大きさの開口部を設け、そこに取り付けたフラップの動きとフラップインジゲーターの設置により、高濃度炭酸ガスタンク上部の炭酸ガススペースに対する、炭酸ガスボンベからの炭酸ガスの供給量が適切であるかどうかを確認すると共に密閉された高濃度炭酸ガス水タンク内の圧力上昇によるタンクの破壊を防ぐことができる。
なお、より高濃度の炭酸ガス水を製造する目的で、高濃度炭酸ガス水製造装置のポンプ出口管端にキャピラリーチューブを使用した構造を持つノズルを設け、水路を絞り、ポンプ出口側配管内の圧力を上げると同時にキャピラリーチューブ内での圧力の暫減により、より高濃度の炭酸ガス水を作ることができる。
【発明の効果】
以上の仕組みにより従来のものよりも炭酸ガスを無駄なく高濃度に溶け込ませることができる。
又、装置の値段及び維持費も従来のものよりも安くすることが可能となる。
【図面の簡単な説明】
【図１】高濃度炭酸ガス水製造装置フロー
【図２】作動状態指示計説明図
【図３】キャピラリー式排出ノズル説明図
【符号の説明】
（１）高濃度炭酸ガス水タンク（２）炭酸ガスボンベ（３）循環ポンプ（４）炭酸ガス吸入管（５）ポンプ出口管（６）キャピラリーチューブ式排出ノズル（７）フラップ式インジゲーター（８）フラップ（９）炭酸ガスボンベ流量調整弁（１０）補給水管電磁弁（１１）循環ポンプ吸入管電磁弁（１２）循環ポンプ吸入管（１３）フロートスイッチ（１４）炭酸ガス吸入管流量調整弁（１５）高濃度炭酸ガス水排出弁（１６）制御盤（１７）炭酸ガス供給電磁弁（１８）補給水取入管（１９）炭酸ガス供給管（２０）炭酸ガススペース
【図１】
2005144429.tif 000003
【図２】
2005144429.tif 000004
【図３】
2005144429.tif 000005